(57)【要約】【課題】採光された光を効率よく拡散反射して屋内を明るくし、且つ耐候性を有する内装建材シート及び採光システムを提供する。【解決手段】内装建材シートは、耐加水分解性を有する反射基材と、該反射基材の光が入射する側に光拡散性の凹凸面を有するか、又は反射基材の上に硬化された電離放射線硬化性樹脂層と該電離放射線硬化性樹脂層の光が入射する側に光拡散性の凹凸面とを有するように形成され、採光システムは、屋外から採光部材により採り込まれた光を内装建材シートにより効率よく拡散反射して屋内を明るくする。【選択図】  図３
2018112061.tif 000002
【特許請求の範囲】
【請求項１】
光を拡散反射する内装建材シートであって、
耐加水分解性を有する反射基材と、
該反射基材の光が入射する側に光拡散性の凹凸面と、を有することを特徴とする内装建材シート。
【発明の詳細な説明】
【技術分野】
【０００１】
本発明は、内装建材シート及び採光システムに関する。
【背景技術】
【０００２】
近年、屋内の照明の照明強度を弱めて二酸化炭素の排出量の削減と消費電力の低減を図る一環として、窓に入射された外光を屋内に効率よく採り込む採光器が提案されている。例えば、特許文献１には、複数の反射面を有し、複数の反射面の1次元方向の長さ、配列
ピッチおよび入射光の入射角が所定の関係を満たすようにされた構造層を具備する光学素子及び照明装置により、光の取り込み効率を改善し、採光器の厚みの薄型化にも対応している。
【先行技術文献】
【特許文献】
【０００３】
【特許文献１】特開２０１２−３８６２６号公報
【発明の概要】
【発明が解決しようとする課題】
【０００４】
採光器により屋内に採り込まれた光は、多くは天井面や壁面に設けられ壁紙に照射される。一方、従来の壁紙は全光線反射率が９０％以下と低く、壁紙に入射された光を屋内に効率よく拡散反射させることができないため、採光器で外光を屋内に採り込んでも、採り込んだ光を有効に活用することができなかった。また、壁紙などには耐候性が要求されている。
【０００５】
本発明は、上記実情に鑑みてなされたものであり、採光された光を効率よく拡散反射して屋内を明るくし、且つ耐候性を有する内装建材シート及び採光システムを提供することを主目的とする。
【課題を解決するための手段】
【０００６】
上記の問題を解決する第１の発明の要旨は、屋外から採光された光を拡散反射して屋内を明るくする内装建材シートであって、耐加水分解性を有し、かつ、微細な気泡を有するボイド構造を備えた白色ポリエチレンテレフタレートフィルムを含む、反射基材と、該反射基材の光が入射する側に光拡散性の凹凸面と、を有することを特徴とするものである。
【０００７】
上記の問題を解決する第２の発明の要旨は、上記の第１の発明に記載の内装建材シートにおいて、前記反射基材の前記凹凸面の側とは反対側に、前記凹凸面から入射した光を反射する反射層が設けられてなることを特徴とするものである。
【０００８】
上記の問題を解決する第３の発明の要旨は、光を拡散反射する内装建材シートであって、耐加水分解性を有し、かつ、微細な気泡を有するボイド構造を備えた白色ポリエチレンテレフタレートフィルムを含む、反射基材と、該記反射基材の上に形成された電離放射線硬化性樹脂層と、該電離放射線硬化性樹脂層の光が入射する側に光拡散性の凹凸面と、を有することを特徴とするものである。
【０００９】
上記の問題を解決する第４の発明の要旨は、上記の第３の発明に記載の内装建材シートにおいて、前記反射基材の前記電離放射線硬化性樹脂層が形成された側とは反対側に、前記凹凸面から入射した光を反射する反射層が設けられてなることを特徴とするものである。
【００１０】
上記の問題を解決する第５の発明の要旨は、前記反射基材が、半透明性を有するものである。
【００１１】
上記の問題を解決する第６の発明の要旨は、屋外と屋内の境界に屋外光を屋内に採光する採光部材と、屋内に前記採光部材で採光された光を拡散反射する上記の第１乃至第５の発明のいずれかに記載の内装建材シートと、を備えることを特徴とする採光システムである。上記の問題を解決する第７の発明の要旨は、前記採光部材は、ベース部と、該ベース部の内部に配置されたルーバー部から構成され、前記ルーバー部は、直線状に延長するように形成され、かつ、該延長方向と直交する方向に、所定のピッチで複数設けられ、前記ルーバー部の屈折率が、前記ベース部の屈折率よりも小さい採光システムである。
【発明の効果】
【００１２】
本発明によれば、耐候性を有し、かつ拡散性高反射の内装建材シート及び採光システムを提供することができる。
【図面の簡単な説明】
【００１３】
【図１】本発明の採光システムの概略図である。
【図２】本発明の内装建材シートの一実施態様を示す概略断面図である。
【図３】本発明の内装建材シートの他の実施態様を示す概略断面図である。
【図４】本発明の内装建材シートの他の実施態様を示す概略断面図である。
【図５】本発明の採光システムを構成する採光部材の一実施態様を示す概略断面図である。
【発明を実施するための形態】
【００１４】
以下に本発明を実施するための形態について、図１〜５に基づいて説明する。
【００１５】
図１は、本発明の内装建材シートが設けられた採光システムを示す概略図である。
【００１６】
図１に示すように、家屋ＨＳの屋外から太陽光は、屋外と屋内の境界の窓ＷＤに設けられた採光部材１０により屋内の天井ＣＥに向けて導かれて、天井ＣＥに設けられた内装建材シート１により拡散反射され、さらに屋内の壁ＷＬに設けられた内装建材シート１により拡散反射され、屋内を明るくする。
【００１７】
図２は、本発明の内装建材シートの一実施形態を示す断面図である。
【００１８】
図２に示すように、内装建材シート１は、耐加水分解性を有する反射基材２と、反射基材２の光が入射する側に光拡散性の凹凸面３を有している。
【００１９】
内装建材シート１は、光拡散性の凹凸面３の側とは反対側を、屋内の天井や壁に設置して、外光から採光された光を拡散反射して屋内を明るくする。
＜反射基材＞
反射基材２は、光拡散反射性を有し、耐加水分解性を有し、内装建材シートとして加工適正と施工適正とを有する基材であれば使用できる。
【００２０】
プラスチック材料の高湿度下での加水分解による劣化の対策として、化学構造を変えること、添加剤を組成中に含めること等により得られた種々の耐加水分解性フィルムが実用化されている。反射基材２の材料として、それらの耐加水分解性フィルムを使用することができる。
【００２１】
反射基材２の材料として、好ましくは、ポリエチレンテレフタレートが用いられ、ポリエチレンテレフタレート（ＰＥＴ）を溶融押出成形法によりフィルム成膜し冷却後に、二軸延伸させて配向して、熱固定により結晶化させたもので、微細な気泡を有するボイド構造の白色ポリエチレンテレフタレートフィルムが用いられる。光拡散反射効果に優れている。
【００２２】
上記のボイド構造の白色ポリエチレンテレフタレートフィルムのうち、耐加水分解性を有するものとして、東洋紡株式会社製シャインビームＱ２２１１や同３２１５、東レ株式会社製ルミラーＭＸ７０や同ＭＸ１１、及び帝人株式会社製テイジンテトロンフィルムＵ２や同ＶＷ等を使用することができる。
【００２３】
上記の耐加水分解性フィルムは、耐湿性、耐熱性、耐黄変性を有する。
【００２４】
反射基材２の厚みは、特に制限はないが、耐久性及び汎用性の観点から、通常２０〜２００μｍ程度、好ましくは、３０〜１５０μｍの範囲である。
＜凹凸面＞
凹凸面３は、反射基材２上に直接的（図２参照）または間接的（後述する図３参照）に設けられており、光拡散性を有するものである。図２においては、凹凸面３は、反射基材２の光が入射する側に設けられている。
【００２５】
凹凸面３を形成する方法としては、反射基材２の表面を金型によりエンボス加工する方法や、反射基材２の表面をプラズマ処理する方法等を採用することができる。
【００２６】
図３は、本発明の内装建材シートの他の実施形態を示す断面図である。
図３に示すように、内装建材シート１は、反射基材２の上に硬化された電離放射線硬化性樹脂層４と、該電離放射線硬化性樹脂層４の光が入射する側に光拡散性の凹凸面３とを有している。
【００２７】
内装建材シート１は、光拡散性の凹凸面３の側とは反対側を、屋内の天井や壁に設置して、外光から採り込まれた光を拡散反射して屋内を明るくする。
【００２８】
また、反射基材２の上に硬化された電離放射線硬化性樹脂層４は、内装材として耐久性、耐候性、耐擦性を向上させる。
＜電離放射線硬化性樹脂層＞
電離放射線硬化性樹脂層４は、図３の内装建材シート１において反射基材２上に形成され硬化されており、表面に凹凸面３を有するものである。
【００２９】
電離放射線硬化性樹脂層４の材料として、電磁波または荷電粒子線の中で分子を架橋、重合させ得るエネルギー量子を有するもの、すなわち、紫外線または電子線などを照射することにより、架橋、硬化する電離放射線硬化性樹脂が用いられる。
【００３０】
電離放射線硬化性樹脂の材料としては、電離放射線硬化性樹脂として慣用されている重合性モノマー及び重合性オリゴマーないしはプレポリマーの中から適宜選択して用いることができる。代表的には、重合性モノマーとして、分子中にラジカル重合性不飽和基を持つ（メタ）アクリレート系モノマーが好適であり、中でも多官能性（メタ）アクリレートが好ましい。なお、ここで「（メタ）アクリレート」とは「アクリレート又はメタクリレート」を意味し、他の類似するものも同様の意である。多官能性（メタ）アクリレートとしては、分子内にエチレン性不飽和結合を２個以上有する（メタ）アクリレートであればよく、特に制限はない。これらの多官能性（メタ）アクリレートは１種を単独で用いてもよいし、２種以上を組み合わせて用いてもよい。
【００３１】
凹凸面３は、電離放射線硬化性樹脂層４の光が入射する側に設けられている。凹凸面３を形成する方法としては、電離放射線硬化性樹脂層４の表面を金型によりエンボス加工する方法や、電離放射線硬化性樹脂層４の表面をプラズマ処理する方法や、電離放射線硬化性樹脂層４にビーズ等の粒状物を含有させる方法等を採用することができる。
【００３２】
図４は、本発明の内装建材シートの他の実施形態を示す断面図である。
【００３３】
図４に示すように、内装建材シート１は、反射基材２の上と、反射基材２の光が入射する側に光拡散性の凹凸面３を有しており、反射基材の前記凹凸面の側とは反対側に反射層５が設けられている。
【００３４】
内装建材シート１は、光拡散性の凹凸面３の側とは反対側を、屋内の天井や壁に設置して、外光から採り込まれた光を拡散反射して屋内を明るくする。
【００３５】
また、反射基材２の凹凸面３の側とは反対側に設けられた反射層５は、反射基材２が
半透明性を有する場合に、凹凸面３から入射した光を反射して、内装建材シート１の拡散反射性を向上させる。
＜反射層＞
反射層５は、図４の内装建材シート１において、反射基材２の凹凸面３の側とは反対側に設けられており、凹凸面３から入射した光を反射するものであればよい。
【００３６】
反射層５は、金、銀、銅、アルミニウム等の金属を蒸着法やスパッタ法等により金属薄膜として形成されたものや、金、銀、銅、アルミニウム等の金属をバインダーと混合したインキを塗布法や印刷法により厚膜として形成されたものを用いることができる。
【００３７】
反射層５の膜厚としては、上記の薄膜の場合には、０．０５〜０．２μｍ、厚膜の場合には、０．２〜２００μｍが好ましい
その他の実施形態として、本発明の内装建材シート１の凹凸面３が設けられた側と反対側に接着層が設けられた化粧シートや、さらに内装建材シート１の凹凸面３が設けられた側と反対側をパネルや石膏ボードに接着剤や粘着剤を介して貼り合せられた化粧パネルや化粧ボードとして用いられる。
【００３８】
＜採光システム＞
図１に示す採光システムに用いられる採光部材１０は、屋外からの光を屋内の天井の方向に導くもの機能を有するものであれば、反射材、プリズムやレンズ等をルーバー状に設け採光装置等を用いることができる。
【００３９】
図５は、採光部材１０の一実施形態を示す断面図である。
【００４０】
図５に示すように、採光部材１０は、ベース部６にルーバー部７が形成されており、ルーバー部７が直線状に延長するように形成さており、その延長方向が水平となるように窓に設置される。また、ルーバー部７は、延長方向と直交する方向(上下方向)に、所定のピッチで複数設けられている。
【００４１】
ルーバー部７は、その上側の面において屋外の光を反射して屋内の天井方向に導く機能を有するものである。
【００４２】
ルーバー部７は、上側（図５及びその他の図における上側と同じ）を向く面と下側（図５及びその他の図における上側と同じ）を向く面とによる一対の斜面と接続して形成され、この実施態様では断面形状が台形である。採光部材１０は、ルーバー部７において反射面として機能する斜面の形状で入射光の光路を曲げる性能が種々に変化することになる。従って、ルーバー部７の断面形状は、目的と性能に応じて種々の形状を適用することができる。
【００４３】
ルーバー部７の材料としては、高反射率の材料からなるもの、屈折率がベース部６に対して小さい透明樹脂材料からなるものを用いることができる。屈折率がベース部６に対して小さい透明樹脂材料からなる構造の場合には、ルーバー部７の上方を向く斜面に入射する外光のうち、臨界角より大きな角度で入射する外光は、この斜面で全反射する。その結果、屋外からの入射光の光路が折り曲げられて屋内の天井に向けて出射されることになる。透明樹脂材料には、白色剤、黒色剤やその他の着色剤を含むものであってもよく、出射光を散乱光にすることや、採光部材１０の意匠性を向上させることができる。
【符号の説明】
【００４４】
１    内装建材シート
２    反射基材
３    凹凸面
４    電離放射線硬化性樹脂層
５    反射層
６    ベース部
７    ルーバー部
１０  採光部材
ＷＤ  窓
ＣＥ  天井
ＷＬ  壁
ＨＳ  家屋
【図１】
2018112061.tif 000003
【図２】
2018112061.tif 000004
【図３】
2018112061.tif 000005
【図４】
2018112061.tif 000006
【図５】
2018112061.tif 000007
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
光を拡散反射する内装建材シートであって、
耐加水分解性を有する反射基材と、
前記反射基材の上に形成された電離放射線硬化性樹脂層と、を備え、
前記電離放射線硬化性樹脂層は、光が入射する側に光拡散性の凹凸面を有し、
前記反射基材の前記凹凸面の側とは反対側に反射層が設けられており、
前記反射基材は、前記凹凸面から入射した光を前記反射層に向けて透過させることができ、かつ、前記反射層が反射した光を前記凹凸面に向けて透過させることができ、
前記反射層は、前記凹凸面から入射した光を反射することができる、内装建材シート。
【請求項２】
前記反射基材が半透明性を有する請求項１に記載の内装建材シート。
【請求項３】
前記電離放射線硬化性樹脂層の前記凹凸面は、前記電離放射線硬化性樹脂層が金型によりエンボス加工されたもの、前記電離放射線硬化性樹脂層の表面がプラズマ処理されたもの、または、前記電離放射線硬化性樹脂層にビーズ等の粒状物が含有されたもの、である請求項１または請求項２に記載の内装建材シート。
【請求項４】
前記反射基材が、ポリエチレンテレフタレートである請求項１から請求項３のいずれか１項に記載の内装建材シート。
【請求項５】
屋外と屋内の境界に設けられ屋外光を屋内に採光する採光部材と、
屋内に設けられ前記採光部材で採光された光を拡散反射する請求項1から請求項４のいずれか１項に記載の内装建材シートと、を備えることを特徴とする採光システム。